【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
スケール形成化合物を水溶液から取り除く方法であって、該方法は、
アルカリ性のｐＨで第一のスケール形成化合物の沈殿をもたらすのに十分な化学量論量で、少なくとも１つのイオンを該溶液へと添加する工程；
該溶液のｐＨをアルカリ性のｐＨに調整し、それにより、該第一のスケール形成化合物を沈殿させる工程；
該第一のスケール形成化合物を該溶液から取り除く工程；
該溶液を、該溶液から第二のスケール形成化合物の沈殿をもたらすのに十分な温度まで加熱する工程；および
該第二のスケール形成化合物を該溶液から取り除く工程
を含む、方法。
【請求項２】
前記イオンが、炭酸イオンおよび二価カチオンからなる群より選択され、該炭酸イオンが、ＨＣＯ３−であり、該二価カチオンが、Ｃａ２＋およびＭｇ２＋からなる群より選択され、前記化学量論量が、該二価カチオンを、前記第一のスケール形成化合物におけるバリウム、カドミウム、コバルト、鉄、鉛、マンガン、ニッケル、ストロンチウムおよび亜鉛からなる群より選択される二価カチオンの代わりに用いるのに十分である、請求項１に記載の方法。
【請求項３】
前記化学量論量が、前記二価カチオンを、前記第一のスケール形成化合物におけるアルミニウムおよびネオジムからなる群より選択される三価カチオンの代わりに用いるのに十分である、請求項２に記載の方法。
【請求項４】
少なくとも１つのイオンを添加する工程が、重炭酸ナトリウム、重炭酸カリウム、および重炭酸アンモニウムからなる群より選択される可溶性の重炭酸イオンを前記溶液に添加する工程を含む、請求項１に記載の方法。
【請求項５】
少なくとも１つのイオンを添加する工程が、ＣａＯ、Ｃａ（ＯＨ）２、Ｍｇ（ＯＨ）２、およびＭｇＯからなる群より選択される化合物を前記溶液に添加する工程を含む、請求項１に記載の方法。
【請求項６】
前記アルカリ性のｐＨが、約９．２またはそれより高いｐＨである、請求項１に記載の方法。
【請求項７】
前記第一のスケール形成化合物が、ＣａＣＯ３およびＭｇＣＯ３からなる群より選択される、請求項１に記載の方法。
【請求項８】
前記溶液のｐＨを調整する工程が、ＣａＯおよびＮａＯＨからなる群より選択される化合
物を該溶液に添加する工程を含む、請求項１に記載の方法。
【請求項９】
前記第一のスケール形成化合物を取り除く工程が、濾過、沈積および遠心分離のうちの少なくとも１つを含み、前記温度が、約１００℃〜約１２０℃の範囲内にあり、そして、該温度が、約５分〜約１０分の期間の範囲内に維持される、請求項１に記載の方法。
【請求項１０】
発電所または同様の工業用プロセスからの廃熱が、前記溶液の加熱を達成するために使用される、請求項１に記載の方法。
【請求項１１】
前記第二のスケール形成化合物が、硫酸塩化合物を含む、請求項１に記載の方法。
【請求項１２】
前記第二のスケール形成化合物を取り除く工程が、濾過、沈積および遠心分離のうちの少なくとも１つを含む、請求項１に記載の方法。
【請求項１３】
前記溶液を加熱する工程が、該溶液を蒸気と接触させる工程をさらに含み、それにより、該溶液からの、１０ｐｐｍより低いレベルまでの揮発性有機成分（「ＶＯＣ」）、ガス、および非揮発性有機化合物の脱ガスが達成される、請求項１に記載の方法。
【請求項１４】
少なくとも１つのイオンを添加する工程の前に、前記溶液から汚染物質を取り除く工程をさらに含み、該汚染物質が、固体の粒子および炭化水素の小滴からなる群より選択される、請求項１に記載の方法。
【請求項１５】
前記水溶液が、水道水、汚染された水溶液、海水、および炭化水素で汚染された塩性のブラインからなる群より選択される、請求項１に記載の方法。
【請求項１６】
前記第二のスケール形成化合物を取り除く工程後、前記水溶液を脱ガスする工程をさらに含み、ここで、該脱ガスする工程が、炭化水素化合物を該水溶液から取り除くように適合される、請求項１に記載の方法。
【請求項１７】
スケール形成化合物を得る方法であって、該方法は、
水溶液を提供する工程；
請求項１に記載の方法を実施する工程；
前記第一のスケール形成化合物を回収する工程；および
前記第二のスケール形成化合物を回収する工程
を含む、方法。
【請求項１８】
前記第一および第二のスケール形成化合物は、表１に列挙される化合物の群から選択される、請求項１７に記載の方法。
【請求項１９】
大気のＣＯ２を隔離する方法であって、該方法は、
炭酸イオンの存在下でＣＯ２隔離化合物を形成することが可能な少なくとも１つのイオンを含む水溶液を提供する工程；
アルカリ性のｐＨで該ＣＯ２隔離化合物の沈殿をもたらすのに十分な化学量論量で、炭酸イオンを該溶液に添加する工程；
該溶液のｐＨをアルカリ性のｐＨに調整し、それにより、該ＣＯ２隔離化合物を沈殿させ
る工程；および
該ＣＯ２隔離化合物を該溶液から取り除く工程；
を含む、方法であって、ここで炭酸イオンを添加する工程は、大気のＣＯ２を該溶液に添加する工程を含み、ここで、該大気のＣＯ２は、該ＣＯ２隔離化合物において隔離される、方法。
【請求項２０】
前記水溶液が、汚染された水溶液、海水、および炭化水素で汚染された塩性のブラインからなる群より選択され、そして前記アルカリ性のｐＨが、約９．２またはそれより高いｐＨである、請求項１９に記載の方法。
【請求項２１】
前記ＣＯ２隔離化合物が、ＣａＣＯ３およびＭｇＣＯ３からなる群より選択され、そして前記ＣＯ２隔離化合物を取り除く工程は、濾過、沈積および遠心分離のうちの少なくとも１つを含む、請求項１９に記載の方法。
【請求項２２】
スケール形成化合物を水溶液から取り除く装置であって、該装置は、
該水溶液のための入り口；
ＣＯ２ガスの供給源；
該入り口と該ＣＯ２ガスの供給源とを流体連絡する第一タンク；
ｐＨ上昇剤の供給源；
該ｐＨ上昇剤の供給源と該第一タンクとを流体連絡する第二タンク；
該第二タンクと流体連絡するフィルターであって、ここで、該フィルターは、該第二タンクにおいて、第一のスケール形成化合物を該溶液から分けるように適合される、フィルター；
該フィルターと流体連絡する圧力容器であって、該圧力容器内で該溶液を約１００℃〜約１２０℃の範囲内の温度まで加熱するように適合される、圧力容器；および
該圧力容器と流体連絡するフィルターであって、ここで、該フィルターは、該圧力容器において第二のスケール形成化合物を該溶液から分けるように適合される、フィルター
を備える、装置。
【請求項２３】
請求項２２に記載の装置であって、該装置は、
前記入り口と前記第一タンクとを流体連絡するディオイラ、および
前記圧力容器の下流にあり、該圧力容器と流体連絡する脱ガス装置
をさらに備え、
ここで、該ディオイラは、固体の粒子および炭化水素の小滴からなる群より選択される汚染物質を前記溶液から取り除くように適合され、そして、
該脱ガス装置は、炭化水素化合物を該溶液から取り除くように適合される、
装置。
【請求項２４】
ＣＯ２隔離化合物に大気のＣＯ２を隔離する装置であって、該装置は、
炭酸イオンの存在下でＣＯ２隔離化合物を形成することが可能な少なくとも１つのイオンを含む水溶液のための入り口；
大気のＣＯ２ガスの供給源；
該入り口と該ＣＯ２ガスの供給源とを流体連絡する第一タンク；
ｐＨ上昇剤の供給源；
該ｐＨ上昇剤の供給源と該第一タンクとを流体連絡する第二タンク；および
該第二タンクと流体連絡するフィルターであって、ここで、該フィルターは、該第二タンクにおいて、該ＣＯ２隔離化合物を該溶液から分けるように適合される、フィルター
を備える、装置。
【請求項２５】
請求項２４に記載の装置であって、該装置は、
前記入り口と前記第一タンクとを流体連絡するディオイラをさらに備え、ここで、該ディオイラは、固体の粒子および炭化水素の小滴からなる群より選択される汚染物質を前記溶液から取り除くように適合される、
装置。
【手続補正２】
【補正対象書類名】明細書
【補正対象項目名】００６５
【補正方法】変更
【補正の内容】
【００６５】
さらなる局面において、上記装置は、上記入り口と上記第一タンクとを流体連絡するディオイラをさらに備え、ここで、そのディオイラは、固体の粒子および炭化水素の小滴からなる群より選択される汚染物質を上記溶液から取り除くように適合される。
例えば、本発明は以下の項目を提供する。
（項目１）
スケール形成化合物を水溶液から取り除く方法であって、該方法は、
アルカリ性のｐＨで第一のスケール形成化合物の沈殿をもたらすのに十分な化学量論量で、少なくとも１つのイオンを該溶液へと添加する工程；
該溶液のｐＨをアルカリ性のｐＨに調整し、それにより、該第一のスケール形成化合物を沈殿させる工程；
該第一のスケール形成化合物を該溶液から取り除く工程；
該溶液を、該溶液から第二のスケール形成化合物の沈殿をもたらすのに十分な温度まで加熱する工程；および
該第二のスケール形成化合物を該溶液から取り除く工程
を含む、方法。
（項目２）
前記イオンが、炭酸イオンおよび二価カチオンからなる群より選択される、項目１に記載の方法。
（項目３）
前記炭酸イオンが、ＨＣＯ３−である、項目２に記載の方法。
（項目４）
前記二価カチオンが、Ｃａ２＋およびＭｇ２＋からなる群より選択される、項目２に記載の方法。
（項目５）
前記化学量論量が、前記二価カチオンを、前記第一のスケール形成化合物におけるバリウム、カドミウム、コバルト、鉄、鉛、マンガン、ニッケル、ストロンチウムおよび亜鉛からなる群より選択される二価カチオンの代わりに用いるのに十分である、項目４に記載の方法。
（項目６）
前記化学量論量が、前記二価カチオンを、前記第一のスケール形成化合物におけるアルミニウムおよびネオジムからなる群より選択される三価カチオンの代わりに用いるのに十分である、項目４に記載の方法。
（項目７）
少なくとも１つのイオンを添加する工程が、前記溶液をＣＯ２ガスでスパージングする工程を含む、項目１に記載の方法。
（項目８）
前記ＣＯ２が、大気のＣＯ２である、項目７に記載の方法。
（項目９）
少なくとも１つのイオンを添加する工程が、重炭酸ナトリウム、重炭酸カリウム、および重炭酸アンモニウムからなる群より選択される可溶性の重炭酸イオンを前記溶液に添加する工程を含む、項目１に記載の方法。
（項目１０）
少なくとも１つのイオンを添加する工程が、ＣａＯ、Ｃａ（ＯＨ）２、Ｍｇ（ＯＨ）２、およびＭｇＯからなる群より選択される化合物を前記溶液に添加する工程を含む、項目１に記載の方法。
（項目１１）
前記アルカリ性のｐＨが、約９．２またはそれより高いｐＨである、項目１に記載の方法。
（項目１２）
前記第一のスケール形成化合物が、ＣａＣＯ３およびＭｇＣＯ３からなる群より選択される、項目１に記載の方法。
（項目１３）
前記溶液のｐＨを調整する工程が、ＣａＯおよびＮａＯＨからなる群より選択される化合
物を該溶液に添加する工程を含む、項目１に記載の方法。
（項目１４）
前記第一のスケール形成化合物を取り除く工程が、濾過、沈積および遠心分離のうちの少なくとも１つを含む、項目１に記載の方法。
（項目１５）
前記温度が、約１００℃〜約１２０℃の範囲内にある、項目１に記載の方法。
（項目１６）
発電所または同様の工業用プロセスからの廃熱が、前記溶液の加熱を達成するために使用される、項目１に記載の方法。
（項目１７）
前記温度が、約５分〜約１０分の期間の範囲内に維持される、項目１５に記載の方法。
（項目１８）
前記第二のスケール形成化合物が、硫酸塩化合物を含む、項目１に記載の方法。
（項目１９）
前記第二のスケール形成化合物を取り除く工程が、濾過、沈積および遠心分離のうちの少なくとも１つを含む、項目１に記載の方法。
（項目２０）
前記溶液を加熱する工程が、該溶液を蒸気と接触させる工程をさらに含み、それにより、該溶液からの、１０ｐｐｍより低いレベルまでの揮発性有機成分（「ＶＯＣ」）、ガス、および非揮発性有機化合物の脱ガスが達成される、項目１に記載の方法。
（項目２１）
少なくとも１つのイオンを添加する工程の前に、前記溶液から汚染物質を取り除く工程をさらに含む、項目１に記載の方法。
（項目２２）
前記汚染物質が、固体の粒子および炭化水素の小滴からなる群より選択される、項目１に記載の方法。
（項目２３）
前記水溶液が、水道水、汚染された水溶液、海水、および炭化水素で汚染された塩性のブラインからなる群より選択される、項目２１に記載の方法。
（項目２４）
前記第二のスケール形成化合物を取り除く工程後、前記水溶液を脱ガスする工程をさらに含み、ここで、該脱ガスする工程が、炭化水素化合物を該水溶液から取り除くように適合される、項目１に記載の方法。
（項目２５）
スケール形成化合物を得る方法であって、該方法は、
水溶液を提供する工程；
項目１に記載の方法を実施する工程；
前記第一のスケール形成化合物を回収する工程；および
前記第二のスケール形成化合物を回収する工程
を含む、方法。
（項目２６）
前記第一および第二のスケール形成化合物は、表１に列挙される化合物の群から選択される、項目２５に記載の方法。
（項目２７）
大気のＣＯ２を隔離する方法であって、該方法は、
炭酸イオンの存在下でＣＯ２隔離化合物を形成することが可能な少なくとも１つのイオンを含む水溶液を提供する工程；
アルカリ性のｐＨで該ＣＯ２隔離化合物の沈殿をもたらすのに十分な化学量論量で、炭酸イオンを該溶液に添加する工程；
該溶液のｐＨをアルカリ性のｐＨに調整し、それにより、該ＣＯ２隔離化合物を沈殿させ
る工程；および
該ＣＯ２隔離化合物を該溶液から取り除く工程；
を含む、方法であって、ここで炭酸イオンを添加する工程は、大気のＣＯ２を該溶液に添加する工程を含み、ここで、該大気のＣＯ２は、該ＣＯ２隔離化合物において隔離される、方法。
（項目２８）
前記水溶液が、汚染された水溶液、海水、および炭化水素で汚染された塩性のブラインからなる群より選択される、項目２７に記載の方法。
（項目２９）
前記アルカリ性のｐＨが、約９．２またはそれより高いｐＨである、項目２７に記載の方法。
（項目３０）
前記ＣＯ２隔離化合物が、ＣａＣＯ３およびＭｇＣＯ３からなる群より選択される、項目２７に記載の方法。
（項目３１）
前記ＣＯ２隔離化合物を取り除く工程は、濾過、沈積および遠心分離のうちの少なくとも１つを含む、項目２７に記載の方法。
（項目３２）
スケール形成化合物を水溶液から取り除く装置であって、該装置は、
該水溶液のための入り口；
ＣＯ２ガスの供給源；
該入り口と該ＣＯ２ガスの供給源とを流体連絡する第一タンク；
ｐＨ上昇剤の供給源；
該ｐＨ上昇剤の供給源と該第一タンクとを流体連絡する第二タンク；
該第二タンクと流体連絡するフィルターであって、ここで、該フィルターは、該第二タンクにおいて、第一のスケール形成化合物を該溶液から分けるように適合される、フィルター；
該フィルターと流体連絡する圧力容器であって、該圧力容器内で該溶液を約１００℃〜約１２０℃の範囲内の温度まで加熱するように適合される、圧力容器；および
前記圧力容器と流体連絡するフィルターであって、ここで、該フィルターは、該圧力容器において第二のスケール形成化合物を該溶液から分けるように適合される、フィルター
を備える、装置。
（項目３３）
項目３２に記載の装置であって、該装置は、
前記入り口と前記第一タンクとを流体連絡するディオイラをさらに備え、
ここで、該ディオイラは、固体の粒子および炭化水素の小滴からなる群より選択される汚染物質を前記溶液から取り除くように適合される、
装置。
（項目３４）
項目３２に記載の装置であって、該装置は、
前記圧力容器の下流にあり、該圧力容器と流体連絡する脱ガス装置をさらに備え、ここで、該脱ガス装置は、炭化水素化合物を前記溶液から取り除くように適合される、
装置。
（項目３５）
ＣＯ２隔離化合物に大気のＣＯ２を隔離する装置であって、該装置は、
炭酸イオンの存在下でＣＯ２隔離化合物を形成することが可能な少なくとも１つのイオンを含む水溶液のための入り口；
大気のＣＯ２ガスの供給源；
該入り口と該ＣＯ２ガスの供給源とを流体連絡する第一タンク；
ｐＨ上昇剤の供給源；
該ｐＨ上昇剤の供給源と該第一タンクとを流体連絡する第二タンク；および
該第二タンクと流体連絡するフィルターであって、ここで、該フィルターは、該第二タンクにおいて、該ＣＯ２隔離化合物を該溶液から分けるように適合される、フィルター
を備える、装置。
（項目３６）
項目３５に記載の装置であって、該装置は、
前記入り口と前記第一タンクとを流体連絡するディオイラをさらに備え、ここで、該ディオイラは、固体の粒子および炭化水素の小滴からなる群より選択される汚染物質を前記溶液から取り除くように適合される、
装置。